(57)【要約】      （修正有）【課題】画像表示装置がいかなる外光照度環境で使用されているかシステム管理者が容易に把握可能とする。【解決手段】液晶表示装置１００の筐体に、液晶表示パネル１０１上の外光照度を検出するための光センサ１０２が取り付けられている。液晶表示装置１００のメインマイコンは、自己診断処理のひとつとして、周期的に、光センサ１０２で検出された照度の情報を取り込む。この検出照度が予め設定された設定値になるとき、メインマイコンはイーサネット（登録商標）マイコンに割り込みを発生し、このイーサネットマイコンはその照度の情報をネットワーク１３０を介してシステム管理者の端末機器１２１，１２２に例えば電子メールにより送信する。端末機器１２１，１２２は、液晶表示装置１００に照度情報の送信要求を送ることでも、液晶表示装置１００から照度情報を受け取ることができる。【選択図】図１
2010217259.tif 000002
【特許請求の範囲】
【請求項１】
画像を表示する画像表示パネルと、
上記画像表示パネル上の外光照度を検出する光センサと、
上記光センサで検出された照度の情報を外部機器に送信する情報送信部
を備える画像表示装置。
【請求項２】
上記光センサで検出された照度が設定値になったか否かを判断する照度判断部をさらに備え、
上記情報送信部は、上記照度判断部により上記光センサで検出された照度が上記設定値になったと判断されるとき、上記光センサで検出された照度の情報を上記外部機器に送信する
請求項１に記載の画像表示装置。
【請求項３】
ユーザが上記設定値を設定するためのユーザ操作部をさらに備える
請求項２に記載の画像表示装置。
【請求項４】
上記情報送信部は、上記光センサで検出された照度の情報を電子メールにより予め登録されたアドレスに送信する
請求項３に記載の画像表示装置。
【請求項５】
上記外部機器から送信されてくる照度情報送信要求を受信する受信部をさらに備え、
上記情報送信部は、上記受信部で上記照度情報送信要求が受信されたとき、上記光センサで検出された照度の情報を上記外部機器に送信する
請求項１に記載の画像表示装置。
【請求項６】
画像を表示する画像表示パネルと、
上記画像表示パネル上の外光照度を検出する光センサを備える画像表示装置の照度情報送信方法であって、
上記光センサで検出された照度が設定値になったか否かを判断する照度判断ステップと、
上記照度判断ステップにより上記光センサで検出された照度が上記設定値になったと判断されるとき、上記光センサで検出された照度の情報を上記外部機器に送信する照度情報送信ステップ
を有する画像表示装置の照度情報送信方法。
【請求項７】
画像を表示する画像表示パネルと、
上記画像表示パネル上の外光照度を検出する光センサを備える画像表示装置の照度情報送信方法であって、
外部機器から送信されてくる照度情報送信要求を受信する送信要求受信ステップと、
上記送信要求受信ステップで上記照度情報送信要求が受信されたとき、上記光センサで検出された照度の情報を上記外部機器に送信する照度情報送信ステップ
を有する画像表示装置の照度情報送信方法。
【請求項８】
画像を表示する画像表示パネルと、
上記画像表示パネル上の外光照度を検出する光センサを有する画像表示装置に取り付けられて使用されるアダプタボードであって、
複数のコンテンツファイルを蓄積するデータ蓄積部と、
上記データ蓄積部から所定のコンテンツファイルのビデオ信号を読み出して上記画像表示装置に送信するデータ送信部と、
上記画像表示装置から上記光センサで検出された照度の情報を受信する照度情報受信部と、
上記照度情報受信部で受信された照度の情報に基づいて、上記データ送信部で送信されるビデオ信号を読み出す上記所定のコンテンツファイルを変更するコンテンツ変更部を備える
アダプタボード。
【発明の詳細な説明】
【技術分野】
【０００１】
この発明は、画像表示装置、画像表示装置の照度情報送信方法およびアダプタボードに関し、特に、画像表示パネル上の外光照度を検出するための光センサを備える画像表示装置等に関する。
【背景技術】
【０００２】
従来、屋外で使用される比較的大型の画像表示装置が種々知られている。この種の画像表示装置は、パブリックディスプレイと総称されており、いろいろな場所に設置されて使用される。例えば、ショッピングモールに並べて配置されるとか、イベント会場の背景位置に取り付けられて使用される。
【０００３】
このパブリックディスプレイが、日光が直射する悪環境で使用されることも想定される。例えば、このパブリックディスプレイが液晶表示装置である場合、日光が直射する環境での使用は、内部温度が高くなることから、問題が発生し易い。
【０００４】
例えば、特許文献１等には、外光照度を検出するための光センサを備え、光センサで検出された外光照度に基づいて、明度補正等を行って、表示画像の視認性の改善を図ることが記載されている。
【先行技術文献】
【特許文献】
【０００５】
【特許文献１】特開２００７−２４８９３６号公報
【発明の概要】
【発明が解決しようとする課題】
【０００６】
従来、上述したパブリックディスプレイがいかなる外光照度環境で使用されているか、例えば、日光が直射する悪環境で使用されているか等を、当該パブリックディスプレイのシステム管理者が把握することは困難であった。
【０００７】
この発明の目的は、パブリックディスプレイとしての画像表示装置がいかなる外光照度環境で使用されているか、例えばシステム管理者が容易に把握可能とすることにある。
【課題を解決するための手段】
【０００８】
この発明の概念は、
画像を表示する画像表示パネルと、
上記画像表示パネル上の外光による照度を検出する光センサと、
上記光センサで検出された照度の情報を外部機器に送信する情報送信部
を備える画像表示装置にある。
【０００９】
この発明において、光センサにより画像表示パネル上の外光による照度が検出され、情報送信部によりこの照度の情報は外部機器に送信される。そのため、例えば、外部機器がシステム管理者の端末機器であれば、システム管理者は画像表示装置がいかなる外光照度環境で使用されているかを容易に把握可能となる。
【００１０】
この発明において、例えば、光センサで検出された照度が設定値になったか否かを判断する照度判断部をさらに備え、情報送信部は、照度判断部により光センサで検出された照度が設定値になったと判断されるとき、光センサで検出された照度の情報を外部機器に送信する、ようにしてもよい。例えば、光センサで検出された照度の情報は、電子メールにより予め登録されたアドレスに送信される。
【００１１】
この場合、外部機器において、例えばシステム管理者は、画像表示パネル上の外光照度が設定値になったことを、電子メール等により直ちに把握可能となる。ここで、ユーザが設定値を設定するためのユーザ操作部が備えられることで、ユーザは、設定値として任意の値の設定が可能となる。例えば、設定値を日光が直射した場合の外光照度範囲に設定しておくことで、日光直射時に、照度情報が外部機器に送信される。また、例えば、設定値を雨降り時の外光照度範囲に設定しておくことで、雨が降ってきたとき、その照度情報が外部機器に送信される。また、例えば、設定値を日暮れ時の外光照度範囲に設定しておくことで、日が暮れたとき、その照度情報が外部機器に送信される。
【００１２】
また、この発明において、例えば、外部機器から送信されてくる照度情報送信要求を受信する受信部をさらに備え、情報送信部は、受信部で照度情報送信要求が受信されたとき、光センサで検出された照度の情報を外部機器に送信する、ようにしてもよい。
【００１３】
この場合、外部機器から例えばシステム管理者が照度情報送信要求を送信することで、画像表示パネル上の外光照度の情報が外部機器に送信される。これにより、外部機器において、例えばシステム管理者は、任意のタイミングで、画像表示パネル上の外光照度情報を得ることができ、コンテンツ変更等の制御処理に利用できる。
【００１４】
また、この発明の概念は、
画像を表示する画像表示パネルと、
上記画像表示パネル上の外光照度を検出する光センサを有する画像表示装置に取り付けられて使用されるアダプタボードであって、
複数のコンテンツファイルを蓄積するデータ蓄積部と、
上記データ蓄積部から所定のコンテンツファイルのビデオ信号を読み出して上記画像表示装置に送信するデータ送信部と、
上記画像表示装置から上記光センサで検出された照度の情報を受信する照度情報受信部と、
上記照度情報受信部で受信された照度の情報に基づいて、上記データ送信部で送信されるビデオ信号を読み出す上記所定のコンテンツファイルを変更するコンテンツ変更部を備える
アダプタボードにある。
【００１５】
この発明において、照度情報受信部により、画像表示装置の光センサで検出された画像表示パネル上の外光照度の情報が受信される。そして、コンテンツ変更部により、この照度情報に基づいて画像表示装置に送信されるビデオ信号を読み出すコンテンツファイルが変更される。したがって、このアダプタボードが画像表示装置に取り付けられるだけで、このアダプタボードから外光照度に応じた適切なコンテンツのビデオ信号が画像表示装置に送信されて画像表示が行われる。
【発明の効果】
【００１６】
この発明によれば、光センサにより検出された画像表示パネル上の外光照度の情報が情報送信部により外部機器に送信されるものであり、外部機器において、例えばシステム管理者は、画像表示装置がいかなる外光照度環境で使用されているか容易に把握できる。
【図面の簡単な説明】
【００１７】
【図１】この発明の第１の実施の形態としての画像表示システムの構成例を示すブロック図である。
【図２】液晶表示装置の光センサ等の取り付け部分を拡大して示した図である。
【図３】液晶表示装置の構成例を示すブロック図である。
【図４】液晶表示装置の照度情報の送信動作に係るメインマイコンの処理手順を示すフローチャートである。
【図５】メインマイコンの処理のうち、照度情報の送信動作に係る処理の手順を示すフローチャートである。
【図６】メール送信処理に対応したメインマイコンおよびイーサネットマイコンの処理手順を示すフローチャートである。
【図７】液晶表示装置から端末機器に送信される電子メールの内容例を示す図である。
【図８】光センサから照度情報を正しく読み込むことができなかった場合におけるエラー表示例を示す図である。
【図９】この発明の第２の実施の形態としての画像表示システムの構成例を示すブロック図である。
【図１０】端末機器における外光監視処理の手順を示すフローチャートである。
【図１１】端末機器のディスプレイの情報表示例を示す図である。
【図１２】端末機器からコンテンツ変更指示を受けたコンテンツ配信サーバの処理手順を示す図である。
【図１３】この発明の第３の実施の形態としての画像表示システムの構成例を示すブロック図である。
【図１４】端末機器における外光監視処理の手順を示すフローチャートである。
【図１５】端末機器から装飾変更指示を受けた装飾制御機器の処理手順を示すフローチャートである。
【図１６】この発明の第４の実施の形態としての画像表示システムの構成例を示すブロック図である。
【図１７】アダプタボードのプレーヤマイコンにおける外光監視処理の手順を示すフローチャートである。
【発明を実施するための形態】
【００１８】
以下、発明を実施するための形態（以下、「実施の形態」とする）について説明する。なお、説明は以下の順序で行う。
１．第１の実施の形態
２．第２の実施の形態
３．第３の実施の形態
４．第４の実施の形態
５．変形例
【００１９】
＜１．第１の実施の形態＞
［画像表示システムの構成例］
この発明の第１の実施の形態について説明する。図１は、第１の実施の形態としての画像表示システム１０Ａの構成例を示している。この画像表示システム１０Ａは、パブリックディスプレイとしての比較的大型、例えば６５インチ程度の液晶表示装置１００と、システム管理者が操作する端末機器（パーソナルコンピュータ）１２１，１２２とから構成されている。端末機器１２１，１２２は、外部機器を構成しており、ＬＡＮ（Local Area Network）等のネットワーク１３０を介して、液晶表示装置１００に接続されている。
【００２０】
液晶表示装置１００の前面右下部には、液晶表示パネル（ＬＣＤ：Liquid Crystal Display）１０１上の外光照度を検出する光センサ１０２が取り付けられている。なお、液晶表示装置１００において、光センサ１０２に隣接した位置に、リモートコントロール信号としての赤外線信号を受光するための赤外線受光部１０３と、電源のオンまたはオフの状態を示すステータスＬＥＤ（Light Emitting Diode）１０４が取り付けられている。
【００２１】
図１には、液晶表示装置１００が横置きとされている状態を示しているが、縦置きで使用されることもある。光センサ１０２を上述した位置に取り付けることで、横置き、縦置きの両方で、その取り付け位置が液晶表示パネル１０１の下側になるようにされ、置き方によって外光を受ける条件が変わらないようにされている。
【００２２】
図２は、液晶表示装置１００において、光センサ１０２等の取り付け部分を拡大して示している。なお、液晶表示装置１００は、上述したように大型であって、相当な重さがあることから、その外筐の四隅には、持ち運び時に当該四隅が他部に当たって損傷をしないように、合成樹脂製の損傷防止部材１０５が取り付けられている。なお、図１には、この損傷部材１０５の図示は省略している。
【００２３】
［液晶表示装置１００の構成例］
図３は、液晶表示装置１００の構成例を示している。ｎ個のビデオ信号入力端子１１１-1〜１１１-nと、ビデオスイッチャ（ビデオＳＷ）１１２と、ビデオ信号処理部１１３と、パネル駆動部１１４と、液晶表示パネル１０１と、バス１１５を有している。液晶表示パネル１０１は、背面側に、例えば複数本のＣＣＦＬ（Cold Cathode Fluorescent Lamp）が均等に配置されてなるバックライト１０１ａを有している。ビデオスイッチャ１１２、ビデオ信号処理部１１３、パネル駆動部１１４および液晶表示パネル１０１は、バス１１５に接続されており、後述するメインマイコン１１９により、その動作が制御される。
【００２４】
また、液晶表示装置１００は、データ蓄積部１１６と、イーサネットマイコン１１７と、ネットワーク端子１１８と、メインマイコン１１９を有している。ここで、「イーサネット」は、登録商標である。データ蓄積部１１６、イーサネットマイコン１１７およびメインマイコン１１９は、バス１１５に接続されている。
【００２５】
ビデオ信号入力端子１１１-1〜１１１-nは、図示しないディスク装置、セットトップボックス等のビデオ信号出力機器で得られたビデオ信号を入力する端子である。ビデオスイッチャ１１２は、ビデオ信号入力端子１１１-1〜１１１-nに入力されたビデオ信号から、選択的に、１系統のビデオ信号を取り出して出力する。
【００２６】
ビデオ信号処理部１１３は、ビデオスイッチャ１１２から出力されるビデオ信号、データ蓄積部１１６から読み出されるビデオ信号、ネットワーク端子１１８を通じて受信された配信ビデオ信号のいずれかを画像表示用のビデオ信号として選択する。そして、ビデオ信号処理部１１３は、画像表示用のビデオ信号として選択されたビデオ信号に対して、色、輝度等の画質を調整する処理、グラフィックスデータを重畳する処理等を行う。パネル駆動部１１４は、ビデオ信号処理部１１３で処理された後のビデオ信号に基づいて、液晶表示パネル１０１を駆動して、この液晶表示パネル１０１に画像を表示する。
【００２７】
データ蓄積部１１６は、この液晶表示装置１００で表示すべき種々のコンテンツのビデオ信号を蓄積する。このデータ蓄積部１１６は、例えば、ＨＤＤ(Hard Disk Drive)、ＤＶＤ／ＢＤドライブ、メモリカードドライブなどで構成され、各種記憶媒体に種々のコンテンツのビデオ信号が蓄積されており、任意のコンテンツのビデオ信号を読み出すことができる。
【００２８】
イーサネットマイコン１１７は、ネットワーク端子１１８を通じてネットワーク１３０（図１参照）に接続されている。このイーサネットマイコン１１７は、ネットワーク１３０を通じて端末機器１２１，１２２との間の通信を行う。このイーサネットマイコン１１７は、情報送信部を構成している。メインマイコン１１９は、液晶表示装置１００の各部の動作を制御する。上述した、光センサ１０２、赤外線受光部１０３およびステータスＬＥＤ１０４は、このメインマイコン１１９に接続されている。
【００２９】
図３に示す液晶表示装置１００の動作を説明する。
画像表示動作を説明する。ビデオ信号入力端子１１１-1〜１１１-nに入力されたビデオ信号はビデオスイッチャ１１２に入力される。ビデオスイッチャ１１２では、ビデオ信号入力端子１１１-1〜１１１-nに入力されたビデオ信号から、選択的に、１系統のビデオ信号が取り出される。このビデオスイッチャ１１２で取り出されたビデオ信号はビデオ信号処理部１１３に供給される。
【００３０】
ビデオ信号処理部１１３では、ビデオスイッチャ１１２から出力されるビデオ信号、あるいはデータ蓄積部１１６から読み出されたビデオ信号、またはイーサネットマイコン１１７で受信された配信ビデオ信号が画像表示用のビデオ信号として選択される。そして、このビデオ信号処理部１１３では、選択されたビデオ信号に対して、色、輝度等の画質を調整する処理、グラフィックスデータを重畳する処理等が行われる。
【００３１】
ビデオ信号処理部１１３で処理された後のビデオ信号は、パネル駆動部１１４に供給される。このパネル駆動部１１４では、ビデオ信号処理部１１３から供給されたビデオ信号に基づいて、液晶表示パネル１０１を駆動することが行われる。これにより、液晶表示パネル１０１には画像が表示される。なお、この画像表示時にはバックライト１０１ａがオン状態とされ、このバックライト１０１ａにより、液晶表示パネル１０１の背面が照射される。
【００３２】
次に、照度情報の送信動作を説明する。図３に示す液晶表示装置１００においては、上述したように光センサ１０２で、液晶表示パネル１０１上の外光照度が検出される。光センサ１０２で検出される照度情報はメインマイコン１１９に供給される。液晶表示装置１００は、光センサ１０２で検出された外光の照度が設定値となったとき、この照度情報を、ネットワーク１３０を通じて、端末機器１２１，１２２に送信する。
【００３３】
ここで、設定値は、例えば、ユーザのリモコン操作により、予め設定可能とされている。この場合、赤外線受光部１０３および図示しないリモコン送信機はユーザ操作部を構成する。この設定値の情報は、メインマイコン１１９のレジスタ等に保持される。ユーザは、設定値として、任意の値を設定できる。例えば、設定値を日光が直射した場合の外光照度範囲に設定しておくことで、日光直射時に、照度情報を端末機器１２１，１２２に送信できる。また、例えば、設定値を雨降り時の外光照度範囲に設定しておくことで、雨が降ってきたとき、その照度情報を端末機器１２１，１２２に送信できる。また、例えば、設定値を日暮れ時の外光照度範囲に設定しておくことで、日が暮れたとき、その照度情報を端末機器１２１，１２２に送信できる。
【００３４】
例えば、イーサネットマイコン１１７には、端末機器１２１，１２２のメールアドレスが予め登録され、液晶表示装置１００から端末機器１２１，１２２への照度情報の送信は、電子メールで行われる。
【００３５】
図４のフローチャートは、液晶表示装置１００の上述の照度情報の送信動作に係るメインマイコン１１９の処理手順を示している。メインマイコン１１９は、ステップＳＴ１において、電源オン時に処理を開始し、その後に、ステップＳＴ２の処理に移る。このステップＳＴ２において、メインマイコン１１１は、自己診断の処理を行う。そして、メインマイコン１１９は、ステップＳＴ３において、電源オフであるか否かを判断する。電源オフでないとき、メインマイコン１１９は、ステップＳＴ２の処理に戻り、上述した処理を繰り返し行う。一方、電源オフであるとき、メインマイコン１１９は、ステップＳＴ４において、処理を終了する。この図４のフローチャートに示すように、液晶表示装置１００において、自己診断の処理は、定期的（例えば、１００ｍｓ毎）に行われる。
【００３６】
図５のフローチャートは、図４のフローチャートのステップＳＴ２におけるメインマイコン１１９の自己診断処理のうち、上述の照度情報の送信動作に係る処理の手順を示している。メインマイコン１１９は、ステップＳＴ１１において、自己診断の処理を開始し、その後に、ステップＳＴ１２において、光センサ１０２のセンサ値、つまり光センサ１０２で検出された照度の情報を読み込む。
【００３７】
そして、メインマイコン１１９は、ステップＳＴ１３において、ステップＳＴ１２で読み込んだ照度情報による照度が設定値であるか否かを判断する。照度が設定値であるとき、ステップＳＴ１４において、メール送信処理を行う。このステップＳＴ１４の処理の後、メインマイコン１１９は、ステップＳＴ１５において、処理を終了する。一方、ステップＳＴ１３で、照度が設定値でないとき、メインマイコンは、直ちに、ステップＳＴ１５において、処理を終了する。
【００３８】
図６のフローチャートは、図５のステップＳＴ１４におけるメール送信処理に対応した、メインマイコン１１９およびイーサネットマイコン１１７の処理の手順を示している。
【００３９】
ステップＳＴ２１においてメール送信処理が開始されるとき、ステップＳＴ２２において、メインマイコン１１９からイーサネットマイコン１１７に割り込みが発生される。そして、ステップＳＴ２３において、イーサネットマイコン１１７からメインマイコン１１９に照度等の情報の問い合わせが行われる。そして、ステップＳＴ２４において、イーサネットマイコン１１７から指定されたメールアドレス、つまり、端末機器１２１，１２２のメールアドレスに、照度等の情報を含む電子メールが送信される。そして、その後、ステップＳＴ２５において、メール送信処理を終了する。
【００４０】
図７は、液晶表示装置１００から端末機器１２１，１２２に送信される電子メールの内容例（ステータス表示例）を示している。図７に示すように、電子メールには、光センサ（Light Sensor）１０２で検出された照度の情報だけでなく、その他の種々の情報が含まれている。図８は、光センサ１０２から照度情報を正しく読み込むことができなかった場合、液晶表示装置１００から端末機器１２１，１２２に送信される電子メールの内容例（エラー表示例）を示している。
【００４１】
以上説明したように、図１に示す画像表示システム１０Ａにおいて、液晶表示装置１００では、光センサ１０２により画像表示パネル１０１上の外光照度が検出され、この照度が設定値となったと判断されるとき、その照度情報が電子メールにより端末機器１２１，１２２に送信される。そのため、例えば、端末機器１２１，１２２がシステム管理者の端末であれば、システム管理者は、液晶表示装置１００の画像表示パネル１０１上の外光照度が設定値になったことを、電子メール等により直ちに把握できる。
【００４２】
例えば、設定値が、日光が直射した場合の外光照度範囲に設定されているとき、光センサ１０２で検出される照度が一定の基準値を越えて外光照度範囲に入ったとき、その照度情報が電子メールにより端末機器１２１，１２２に送信される。したがって、この場合、システム管理者は、液晶表示装置１００の画像表示パネル１０１上に日光が直射している悪環境で使用されていることを認識できる。
【００４３】
また、図１に示す画像表示システム１０Ａにおいて、ユーザは、リモコン操作等により、設定値を任意に設定可能とされている。これにより、液晶表示装置１００から端末機器１２１，１２２に、画像表示パネル１０１上の外光照度が種々の値になったときに、その照度情報を電子メールで送信できる。例えば、設定値を日光が直射した場合の外光照度範囲に設定しておくことで、日光直射時に、照度情報を、端末機器１２１，１２２に送信できる。また、例えば、設定値を雨降り時の外光照度範囲に設定しておくことで、雨が降ってきたとき、その照度情報を端末機器１２１，１２２に送信できる。また、例えば、設定値を日暮れ時の外光照度範囲に設定しておくことで、日が暮れたとき、その照度情報を端末機器１２１，１２２に送信できる。
【００４４】
なお、図１に示す画像表示システム１０Ａにおいて、液晶表示装置１００に設定される所定値は、ひとつに限定されるものではなく、複数設定されていてもよい。また、図１に示す画像表示システム１０Ａにおいて、液晶表示装置１００は、光センサ１０２で検出される外光照度が設定値になったとき、端末機器１２１，１２２にその照度情報を電子メールで送信する。しかし、予め決められた時刻、あるいは一定時間ごとに、端末機器１２１，１２２に照度情報を送信することも考えられる。
【００４５】
＜２．第２の実施の形態＞
［画像表示システムの構成例］
この発明の第２の実施の形態について説明する。図９は、第２の実施の形態としての画像表示システム１０Ｂの構成例を示している。この図９に示す画像表示システム１０Ｂにおいて、図１に示す画像表示システム１０Ａと対応する部分には同一符号を付し、その詳細説明は省略する。
【００４６】
この画像表示システム１０Ｂは、パブリックディスプレイとしての比較的大型、例えば６５インチ程度の液晶表示装置１００と、システム管理者が操作する端末機器（パーソナルコンピュータ）１２３と、液晶表示装置１００にコンテンツを配信するコンテンツ配信サーバ１２４とから構成されている。端末機器１２３は、外部機器を構成しており、ＬＡＮ（Local Area Network）等のネットワーク１３０を介して、液晶表示装置１００に接続されている。また、コンテンツ配信サーバ１２４も、ネットワーク１３０を介して液晶表示装置１００に接続されている。
【００４７】
この図９に示す画像表示システム１０Ｂの液晶表示装置１００も、上述の図１に示す画像表示システム１０Ａの画像表示装置１００と同様に構成されている（図３参照）。そのため、液晶表示パネル１０１には、ビデオ信号入力端子１１１-1〜１１１-nに入力されたビデオ信号による画像、または、データ蓄積部１１６から読み出さされたビデオ信号による画像が表示される。さらに、液晶表示パネル１０１には、コンテンツ配信サーバ１２４からネットワーク１３０を介して受信されたビデオ信号による画像が表示される。
【００４８】
次に、液晶表示装置１００から端末機器１２３への照度情報の送信動作と、その照度情報に基づくコンテンツ変更動作を説明する。図９に示す液晶表示装置１００においては、端末機器１２３から照度情報の送信要求があるとき、光センサ１０２で検出された照度情報を、ネットワーク１３０を通じて、端末機器１２３に送信する。
【００４９】
ここで、端末機器１２３は、例えば、予め設定された時刻、あるいは一定時間毎に、またはシステム管理者が必要とする任意のタイミングで、照度情報の送信要求を液晶表示装置１００に送信する。そして、端末機器１２３は、液晶表示装置１００から送信されてくる照度情報に基づいて、コンテンツを選択し、コンテンツの変更が必要であるとき、コンテンツ配信サーバ１２４に、液晶表示装置１００に配信すべきコンテンツの変更を指示する。
【００５０】
図１０のフローチャートは、端末機器１２３における外光監視処理の手順を示している。端末機器１２３は、ステップＳＴ３１において、外光監視処理を開始し、その後、ステップＳＴ３２の処理に移る。このステップＳＴ３２において、端末機器１２３は、ネットワーク１３０経由で、液晶表示装置１００から、光センサ１０２で検出された照度の情報を読み込む。
【００５１】
すなわち、この場合、端末機器１２３は、ネットワーク１３０を介して、液晶表示装置１００のＩＰアドレスを指定して当該液晶表示装置１００に問い合わせを行う。これにより、端末機器１２３のディスプレイには、Ｗｅｂブラウザにより、液晶表示装置１００のＷｅｂページが表示される。そして、端末機器１２３で、Ｗｅｂページの例えばインフォメーション（Information）のタグが選択されることで、液晶表示装置１００に、照度情報の送信が要求される。この場合、液晶表示装置１００のイーサネットマイコン１１７は、照度情報送信要求を受信する受信部を構成する。
【００５２】
この照度情報の要求に応じて、液晶表示装置１００から端末機器１２３には、照度情報が送られてきて、その照度情報がディスプレイに表示される。図１１は、端末機器１２３のディスプレイの情報表示例を示している。この情報表示例からも明らかなように、液晶表示装置１００から端末機器１２３には、照度情報の他にも、種々の情報が送られてくる。
【００５３】
次に、端末機器１２３は、ステップＳＴ３３において、コンテンツ配信サーバ１２４から液晶表示装置１００に送信すべきコンテンツを、液晶表示装置１００から送られてきた照度情報に基づいて選択する。端末機器１２３において、この選択処理は、その操作者、例えばシステム管理者の操作に基づいて行われる。
【００５４】
上述したように端末機器１２３が照度情報の読み込みを行うことで、端末機器１２３のディスプレイに照度情報が表示される。端末機器１２３の操作者、例えばシステム管理者は、この照度情報の表示に基づいて、液晶表示装置１００の液晶表示パネル１０１上の外光照度を把握でき、その照度に応じたコンテンツの選択操作を行うことができる。例えば、日中なのに、雨降り時の照度である場合には、液晶表示装置１００の設置場所では雨が降っているものと推定し、例えば、レインコート、傘などのコマーシャルのコンテンツを選択できる。
【００５５】
次に、端末機器１２３は、ステップＳＴ３４において、ステップＳＴ３３におけるコンテンツ選択の結果が、コンテンツ変更に当たるか否かを判断する。コンテンツ変更に当たるときは、ステップＳＴ３５において、コンテンツ配信サーバ１２４に、液晶表示装置１００に送信するコンテンツの変更を指示し、その後に、ステップＳＴ３２の処理に戻る。一方、コンテンツ変更に当たらないときは、直ちに、ステップＳＴ３２の処理に戻る。
【００５６】
図１２のフローチャートは、端末機器１２３からコンテンツ変更指示を受けたコンテンツ配信サーバ１２４の処理手順を示している。コンテンツ配信サーバ１２４は、ステップＳＴ４１において、コンテンツ変更指示に基づいて、コンテンツ変更処理を開始する。そして、ステップＳＴ４２において、液晶表示装置１００に配信するコンテンツを変更し、その後、ステップＳＴ４３において、処理を終了する。
【００５７】
図９に示す画像表示システム１０Ｂにおいては、端末機器１２３から要求して、液晶表示装置１００から、光センサ１０２で検出された外光照度の情報を受信できる。これにより、端末機器１２３において、例えばシステム管理者は、任意のタイミングで、液晶表示装置１００の画像表示パネル１０１上の外光照度情報を把握でき、コンテンツ変更等の制御処理に利用できる。また、液晶表示装置１００は、端末機器１２３から照度情報を要求された場合のみ当該端末機器１２３に照度情報を送信するため、液晶表示装置１００から端末機器１２３に照度情報が無駄に送信されることを回避できる。
【００５８】
なお、図９に示す画像表示システム１０Ｂにおいては、端末機器１２３と、コンテンツ配信サーバ１２４が別個に設けられているシステムを示した。しかし、端末機器１２３がコンテンツ配信サーバを兼用しているシステムも考えられる。
【００５９】
＜３．第３の実施の形態＞
［画像表示システムの構成例］
この発明の第３の実施の形態について説明する。図１３は、第３の実施の形態としての画像表示システム１０Ｃの構成例を示している。この図１３に示す画像表示システム１０Ｃにおいて、図１に示す画像表示システム１０Ａと対応する部分には同一符号を付し、その詳細説明は省略する。
【００６０】
この画像表示システム１０Ｃは、パブリックディスプレイとしての比較的大型、例えば６５インチ程度の液晶表示装置１００と、システム管理者が操作する端末機器（パーソナルコンピュータ）１２５と、液晶表示装置１００の周辺に配置された電飾などの装飾部１２７の変更制御を行う装飾制御機器（パーソナルコンピュータ）１２６とから構成されている。端末機器１２５は、外部機器を構成しており、ＬＡＮ（Local Area Network）等のネットワーク１３０を介して、液晶表示装置１００に接続されている。また、装飾制御機器１２６もネットワーク１３０に接続されている。
【００６１】
この図１３に示す画像表示システム１０Ｂの液晶表示装置１００も、上述の図１に示す画像表示システム１０Ａの画像表示装置１００と同様に構成されている（図３参照）。そのため、液晶表示パネル１０１には、ビデオ信号入力端子１１１-1〜１１１-nに入力されたビデオ信号による画像、または、データ蓄積部１１６から読み出さされたビデオ信号による画像が表示される。
【００６２】
次に、液晶表示装置１００から端末機器１２５への照度情報の送信動作と、その照度情報に基づく装飾変更動作を説明する。図１３に示す液晶表示装置１００においては、図９に示す液晶表示装置１００と同様に、端末機器１２５から照度情報の送信要求があるとき、光センサ１０２で検出された照度情報を、ネットワーク１３０を通じて、端末機器１２５に送信する。
【００６３】
ここで、端末機器１２５は、例えば、予め設定された時刻、あるいは一定時間毎に、またはシステム管理者が必要とする任意のタイミングで、照度情報の送信要求を液晶表示装置１００に送信する。そして、端末機器１２５は、液晶表示装置１００から送信されてくる照度情報に基づいて、どのような装飾にすべきかを選択し、装飾の変更が必要であるとき、装飾制御機器１２６に装飾の変更を指示する。
【００６４】
図１４のフローチャートは、端末機器１２５における外光監視処理の手順を示している。端末機器１２５は、ステップＳＴ５１において、外光監視処理を開始し、その後、ステップＳＴ５２の処理に移る。このステップＳＴ５２において、端末機器１２５は、ネットワーク１３０経由で、液晶表示装置１００から、光センサ１０２で検出された照度の情報を読み込む。詳細説明は省略するが、このステップＳＴ５２における、端末機器１２５および液晶表示装置１００の動作は、上述の図９の画像表示システム１０Ｂにおける端末機器１２３および液晶表示装置１００の動作と同じである。
【００６５】
次に、端末機器１２５は、ステップＳＴ５３において、装飾部１２７による装飾（装飾態様）を、液晶表示装置１００から送られてきた照度情報に基づいて選択する。端末機器１２５において、この選択処理は、その操作者、例えばシステム管理者の操作に対応して行われる。
【００６６】
上述したように端末機器１２５が照度情報の読み込みを行うことで、端末機器１２５のディスプレイに照度情報が表示される。端末機器１２５の操作者、例えばシステム管理者は、この照度情報の表示に基づいて、液晶表示装置１００の液晶表示パネル１０１上の外光照度を把握でき、その照度に応じた装飾の選択操作を行うことができる。例えば、夕暮れ時で低照度である場合には、電飾の点灯個数を増やし、低照度時に合った装飾を選択できる。
【００６７】
次に、端末機器１２５は、ステップＳＴ５４において、ステップＳＴ５３における装飾選択の結果が、装飾変更に当たるか否かを判断する。装飾変更に当たるときは、ステップＳＴ５５において、装飾制御機器１２６に装飾変更を指示し、その後に、ステップＳＴ５２の処理に戻る。一方、装飾変更に当たらないときは、直ちに、ステップＳＴ５２の処理に戻る。
【００６８】
図１５のフローチャートは、端末機器１２５から装飾変更指示を受けた装飾制御機器１２６の処理手順を示している。装飾制御機器１２６は、ステップＳＴ６１において、装飾変更指示に基づいて、装飾変更処理を開始する。そして、ステップＳＴ６２において、装飾部１２７を制御して装飾を変更し、その後、ステップＳＴ６３において、処理を終了する。
【００６９】
図１３に示す画像表示システム１０Ｃにおいては、端末機器１２５から要求して、液晶表示装置１００から、光センサ１０２で検出された外光照度の情報を受信できる。これにより、端末機器１２５において、例えばシステム管理者は、任意のタイミングで、液晶表示装置１００の画像表示パネル１０１上の外光照度情報を把握でき、装飾変更等の制御処理に利用できる。また、液晶表示装置１００は、端末機器１２５から照度情報を要求された場合のみ当該端末機器１２５に照度情報を送信するため、液晶表示装置１００から端末機器１２５に照度情報が無駄に送信されることを回避できる。
【００７０】
なお、図１３に示す画像表示システム１０Ｃにおいては、端末機器１２５と、装飾制御機器１２６が別個に設けられているシステムを示した。しかし、端末機器１２５が装飾制御機器を兼用しているシステムも考えられる。
【００７１】
＜４．第４の実施の形態＞
［画像表示システムの構成例］
この発明の第４の実施の形態について説明する。図１６は、第４の実施の形態としての画像表示システム１０Ｄの構成例を示している。この画像表示システム１０Ｄは、パブリックディスプレイとしての比較的大型、例えば６５インチ程度の液晶表示装置１００Ａと、アダプタボード１４０とから構成されている。
【００７２】
液晶表示装置１００Ａは、バス１１５に接続された拡張スロット１２０を有する他は、上述の図３に示す液晶表示装置１００と同様に構成されている。なお、この図１６の液晶表示装置１００Ａにおいて、図３の液晶表示装置１００と対応する部分には同一符号を付して示している。
【００７３】
アダプタボード１４０は、プレーヤマイコン１４１と、コンテンツ蓄積部１４２と、接続部１４３と、バス１４４を有している。プレーヤマイコン１４１、コンテンツ蓄積部１４２および接続部１４３は、バス１４４に接続されている。このアダプタボード１４０は、液晶表示装置１００Ａの拡張スロット１２０に挿入され、この拡張スロット１２０内の図示しない接続部に接続部１４３が接続されて使用される。
【００７４】
プレーヤマイコン１４１は、アダプタボード１４０の各部の動作を制御する。コンテンツ蓄積部１４２は、メモリカードドライブ、例えば、ＨＤＤ(Hard Disk Drive)、ＤＶＤ／ＢＤドライブなどで構成される。このコンテンツ蓄積部１４２には、種々のコンテンツ（コンテンツＡ〜コンテンツＸ）のコンテンツファイルが記憶されている。
【００７５】
この画像表示システム１０Ｄの液晶表示装置１００Ａは、ビデオ信号処理部１１３において、画像表示用のビデオ信号を選択されたビデオ信号に対して、色、輝度等の画質を調整する処理、グラフィックスデータを重畳する処理等を行う。選択対象のビデオ信号は、ビデオスイッチャ１１２の出力ビデオ信号、データ蓄積部１１６からの読み出しビデオ信号、ネットワーク端子１１８を通じて受信された配信ビデオ信号、あるいはアダプタボード１４０からの読み出しビデオ信号のいずれかである。
【００７６】
ビデオ信号処理部１１３で画像表示用のビデオ信号としてアダプタボード１４０からの読み出しビデオ信号が選択されるとき、このビデオ信号処理部１１３には、アダプタボード１４０から読み出されたビデオ信号が供給される。この場合、プレーヤマイコン１４１の制御により、コンテンツ蓄積部１４２に記憶されている複数のコンテンツファイルのうち、所定のコンテンツのコンテンツファイルからビデオ信号が読み出され、当該ビデオ信号は、接続部１４３、拡張スロット１２０を介して、液晶表示装置１００Ａのビデオ信号処理部１１３に供給される。
【００７７】
ここで、アダプタボード１４０は、例えば、一定時間毎に、照度情報の送信要求を液晶表示装置１００Ａに送信する。そして、アダプタボード１４０は、液晶表示装置１００Ａから送信されてくる照度情報に基づいて、再生コンテンツを選択し、コンテンツの変更が必要であるとき、液晶表示装置１００Ａに供給するビデオ信号の読み出し先のコンテンツファイルを変更する。
【００７８】
図１７のフローチャートは、アダプタボード１４０のプレーヤマイコン１４１における外光監視処理の手順を示している。プレーヤマイコン１４１は、ステップＳＴ７１において、外光監視処理を開始し、その後、ステップＳＴ７２の処理に移る。このステップＳＴ７２において、プレーヤマイコン１４１は、液晶表示装置１００Ａから、光センサ１０２で検出された照度の情報を読み込む。この意味で、プレーヤマイコン１４１は、照度情報受信部を構成している。
【００７９】
次に、プレーヤマイコン１４１は、ステップＳＴ７３において、再生コンテンツを、液晶表示装置１００Ａから送られてきた照度情報に基づいて選択する。そして、プレーヤマイコン１４１は、ステップＳＴ７４において、ステップＳＴ７３におけるコンテンツ選択の結果が、コンテンツ変更に当たるか否かを判断する。コンテンツ変更に当たるとき、プレーヤマイコン１４１は、ステップＳＴ７５において、ビデオ信号の読み出し先のコンテンツファイルを、選択されたコンテンツのコンテンツファイルに切り換える。この意味で、プレーヤマイコン１４１は、コンテンツ変更部を構成している。そして、プレーヤマイコン１４１は、ステップＳＴ７５の処理の後に、ステップＳＴ７２の処理に戻る。一方、コンテンツ変更に当たらないとき、プレーヤマイコン１４１は、直ちに、ステップＳＴ７２の処理に戻る。
【００８０】
図１６に示す画像表示システム１０Ｄにおいては、アダプタボード１４０から要求して、液晶表示装置１００Ａから、光センサ１０２で検出された外光照度の情報を受信できる。そして、アダプタボード１４０では、外光照度に基づいて再生コンテンツが選択され、必要に応じて、ビデオ信号の読み出し先のコンテンツファイルが切り換えられる。したがって、このアダプタボード１４０が液晶表示装置１００Ａに取り付けられるだけで、このアダプタボード１４０から外光照度に応じた適切なコンテンツのビデオ信号が液晶表示装置１００Ａに送信されて画像表示が行われる。
【００８１】
＜５．変形例＞
なお、上述実施の形態においては、画像表示装置が液晶表示パネル１０１を用いた液晶表示装置１００，１００Ａであるものを示した。しかし、この発明は、画像表示装置が、液晶表示装置以外、例えば有機ＥＬ画像表示装置、プラズマ画像表示装置などである場合にも同様に適用できる。
【産業上の利用可能性】
【００８２】
この発明は、画像表示装置がいかなる外光照度環境で使用されているか、例えばシステム管理者が容易に把握できるものであり、例えばショッピングモール、イベント会場などの屋外で使用されるパブリックディスプレイとしての画像表示装置等に適用できる。
【符号の説明】
【００８３】
１０Ａ，１０Ｂ，１０Ｃ，１０Ｄ・・・画像表示システム
１００，１００Ａ・・・液晶表示装置
１０１・・・液晶表示パネル
１０１ａ・・・バックライト
１０２・・・光センサ
１０３・・・赤外線受光部
１０４・・・ステータスＬＥＤ
１０５・・・損傷防止部材
１１１-1〜１１１-n・・・ビデオ信号入力端子
１１２・・・ビデオスイッチャ
１１３・・・ビデオ信号処理部
１１４・・・パネル駆動部
１１５・・・バス
１１６・・・データ蓄積部
１１７・・・イーサネットマイコン
１１８・・・ネットワーク端子
１１９・・・メインマイコン
１２０・・・拡張スロット
１２１，１２２，１２３，１２５・・・端末機器
１２４・・・コンテンツ配信サーバ
１２６・・・装飾制御機器
１２７・・・装飾部
１３０・・・ネットワーク
１４０・・・アダプタボード
１４１・・・プレーヤマイコン
１４２・・・コンテンツ蓄積部
１４３・・・接続部
１４４・・・バス
【図１】
2010217259.tif 000003
【図２】
2010217259.tif 000004
【図３】
2010217259.tif 000005
【図４】
2010217259.tif 000006
【図５】
2010217259.tif 000007
【図６】
2010217259.tif 000008
【図７】
2010217259.tif 000009
【図８】
2010217259.tif 000010
【図９】
2010217259.tif 000011
【図１０】
2010217259.tif 000012
【図１１】
2010217259.tif 000013
【図１２】
2010217259.tif 000014
【図１３】
2010217259.tif 000015
【図１４】
2010217259.tif 000016
【図１５】
2010217259.tif 000017
【図１６】
2010217259.tif 000018
【図１７】
2010217259.tif 000019